Podtech/llm-jp-corpus-v4-ja_patent huggingface dataset:
(57)【要約】　　　（修正有）【課題】使用時に簡易に箱状に立体化でき、ポケットティッシュを包装されたままの状態で複数収納しティッシュの取り出しが容易で、収納及び補充の容量の拡張可能な簡易立体化式ポケットティッシュ収納箱を提供する。【解決の手段】本品の外箱の内面に、スライド可能な枠を取り付けこの枠を伸張する事で収納量を増すことが出来るようにした。当然に、枠を短縮することで、少ない収納量にも対応できるようにした。この枠の取り付け機構１ａ、２ｃと折り返し部１ａの作用により収納されたポケットティッシュの沈み込みが防止され、ティッシュの取り出しがスムーズにできるようにした。また、折り返し部１ａは、本品外箱単体での使用時には、収納されたポケットティッシュの脱落を防止する作用がある。さらに、外箱の内面に枠を取り付けて使用するときは、この枠の底の一辺にツメ板２ｄをつけ、収納されたポケットティッシュの脱落を防ぐようにもした。【選択図】　図７
2004067242.tif 000002
【特許請求の範囲】
【請求項１】
使用時に簡易に箱状に立体化し、ポケットティッシュを包装されたままの状態で複数収納し、ティッシュの取り出しが容易にでき、収納及び補充の容量の拡張可能な簡易立体化式ポケットティッシュ収納箱。
【発明の詳細な説明】
【０００１】
【発明の属する技術分野】
この発明は、使用時に簡易に箱状に立体化できる収納箱で、ポケットティッシュを包装されたままの状態で、複数収納及び補充ができ、ティッシュの取り出しも容易にした。また、この箱の内側にスライド可能な枠を取り付けることで、より多くのポケットティッシュを収納できる拡張性を持たせた。また、箱と枠の底面には、収納されたポケットティッシュの脱落を防ぐ工夫がある。
【０００２】
【従来の技術】
従来、包装袋に収納されたポケットティッシュからティッシュ部を取り出して収納するための、プラスチックや木・陶器製の箱状、あるいは布製のカバー等はあったが、これらは収納あるいは補充時において包装袋からティッシュ部を取り出す作業が必要であった。またその収納量は箱等の形状に制限されており、ティッシュの収納量の拡張性がなかった。
【０００３】
【発明が解決しようとする課題】
この発明は、ポケットティッシュを包装袋のまま収納及び補充ができるようにし、取り出しも容易にし、収納量に合わせて箱に拡張性を持たせる。
【０００４】
【課題を解決するための手段】
本発明は、ポケットティッシュを包装袋状態のまま本品の底から押し入れる事で収納及び補充ができ、また、収納及び補充の拡張性を持たせるために、本品の外箱の内面に、スライド可能な枠を取り付けこの枠を伸張する事で収納量を増すことが出来るようにした。当然に、枠を短縮することで、少ない収納量にも対応できるようにした。この枠の取り付け機構１ａ、２ｃと折り返し部１ａの作用により収納されたポケットティッシュの沈み込みが防止され、ティッシュの取り出しがスムーズにできるようにした。また、折り返し部１ａは、本品外箱単体での使用時には、収納されたポケットティッシュの脱落を防止する作用がある。さらに、外箱の内面に枠を取り付けて使用するときは、この枠の底の一辺にツメ板２ｄをつけ、収納されたポケットティッシュの脱落を防ぐようにもした。
【０００５】
【発明実施の形態】
本発明を図面において説明すれば、
2004067242.tif 000003
に折りにし、図３の形にする。
2004067242.tif 000004
み２ｂに、また、２ｄの先端部を切り込み２ｅに差し込み図４の形にする。
（ハ）図３の収納箱本体１の▲１▼部分２ヵ所を山折りし、１ｄの両先端の角を切り込み１ｆに差し込んで図５上部の収納箱本体１の形にする。次に、この箱の１ａ部分を図４の内枠部２の切り込み２ｃに差し込むと同時に▲２▼部分を内側に折ることで図６の形にする。これにより、切り込み２ｃ内を１ａ部分が通り上下に移動することで箱の拡張性を得る。
（二）図６の収納箱本体１の天面１ｅと、内枠部２の両側面１ｂ・１ｄ・２ｆの▲３▼部分を谷折りすると同時に、内枠部２の底面の一部となった２ｄの中心を山折りすることで箱全体をコンパクトに折りたたむことが出来る。これにより、未使用時でもかさばらず移動も簡単となり、使用時には、簡単に立体化できる。
【０００６】
【発明の効果】
本発明は、単体でも使用できる外箱に、スライド可能な内枠をつけたことでポケットティッシュの収納及び補充の拡張性を得た。また，ポケットティッシュを包装袋のまま本品の底面から押し入れ、収納できるため簡便であり、更に、ティッシュを包装袋から取り出す手間もかからず、しかも衛生的である。また、包装袋単位の状態のままで収納されているため、収納後も包装袋単位で取り出し本来のポケットティッシュとして利用することが出来る。
【図面の簡単な説明】
【図１】本発明の一部の展開図である。
【図２】本発明の一部の展開図である。
【図３】本発明の一部の組み立て途中図である。
【図４】本発明の一部の組み立て途中図である。
【図５】本発明の一部の組み立て途中図である。
【図６】本発明の斜視図である。
【図７】本発明の斜視図である。
【符号の説明】
１　収納箱本体
２　内枠部
【図１】
2004067242.tif 000005
【図２】
2004067242.tif 000006
【図３】
2004067242.tif 000007
【図４】
2004067242.tif 000008
【図５】
2004067242.tif 000009
【図６】
2004067242.tif 000010
【図７】
2004067242.tif 000011
(57)【要約】【課題】用紙搬送経路及び画像形成装置の省スペース化を図ることが可能な用紙搬送経路切替え装置を提供する。【解決手段】用紙搬送経路１４〜１７の分岐点に位置し、その回動により用紙を下流側の所定の用紙搬送経路に向かわせる分岐爪１を有する用紙搬送経路切替え装置において、分岐爪１の駆動手段であるソレノイド２とリンク３を、用紙搬送経路１４〜１７の内側に配置した。【選択図】　　　　図４
2004067283.tif 000002
【特許請求の範囲】
【請求項１】
用紙搬送経路の分岐点に位置し、その回動により用紙を下流側の所定の用紙搬送経路に向かわせる分岐爪を有する用紙搬送経路切替え装置において、分岐爪の駆動手段を、用紙搬送経路の内側に配置したことを特徴とする用紙搬送経路切替え装置。
【請求項２】
請求項１記載の用紙搬送経路切替え装置において、駆動手段は、ソレノイドと分岐爪間のリンクで構成されることを特徴とする用紙搬送経路切替え装置。
【発明の詳細な説明】
【０００１】
【発明の属する技術分野】
本発明はプリンタ、ファックス、コピー機等の画像形成装置における用紙搬送経路切替え装置に関する。
【０００２】
【従来の技術】
コピー機、プリンター、ファックス等の画像形成装置は、用紙搬送経路の分岐部に設けられた分岐爪により、用紙を下流側の任意の用紙搬送経路へ搬送できる様にしている。分岐爪は、用紙搬送経路進行方向に垂直、用紙幅方向に平行な回動中心を持ち、それを軸に揺動することにより搬送経路の切替えを行っている。分岐爪の回動はソレノイドのプランジャーの往復運動を利用しているものが多い。
【０００３】
図６は従来例に係る用紙搬送経路切替え装置の要部斜視図である。分岐爪１はソレノイド２によってリンク（アーム）３を介して駆動（回動）されるようになっている。即ちソレノイド２がオンしてプランジャが引かれると、リンク３が支点を中心に回動して分岐爪１の回転軸１−１に設けた突起片を押し上げることで、分岐爪１は回動する。
【０００４】
【発明が解決しようとする課題】
ここで図６に示すように、ソレノイド及びリンクは用紙搬送経路の外側に設けられているものが多い。従って従来の用紙搬送経路、ひいてはこれを用いる画像形成装置においては、その幅方向にスペースが必要となり、装置が大型化するという問題があつた。
【０００５】
本発明は、用紙搬送経路及び画像形成装置の省スペース化を図ることが可能な用紙搬送経路切替え装置を提供することを目的とする。
【０００６】
【課題を解決するための手段】
上記目的を達成するために、請求項１記載の発明は、用紙搬送経路の分岐点に位置し、その回動により用紙を下流側の所定の用紙搬送経路に向かわせる分岐爪を有する用紙搬送経路切替え装置において、分岐爪の駆動手段を、用紙搬送経路の内側に配置した用紙搬送経路切替え装置を最も主要な特徴とする。
【０００７】
請求項２記載の発明は、請求項１記載の用紙搬送経路切替え装置において、駆動手段は、ソレノイドと、ソレノイドと分岐爪間のリンクで構成される用紙搬送経路切替え装置を主要な特徴とする。
【０００８】
【発明の実施の形態】
以下、図面により本発明の実施の形態を詳細に説明する。図１は画像形成装置の用紙搬送経路を示す概略図である。給紙部１０と、第１排紙部１１、第２排紙部１２、両面ユニット１３間に用紙搬送経路が形成され、その途中に第１分岐爪１ａと第２分岐爪１ｂがある。
【０００９】
図２は図１の用紙搬送経路の要部拡大図である。第１排紙部１１に向かう第１用紙搬送経路１４と、その下流側の第２用紙搬送経路１５と、第２用紙搬送経路１５から分岐して第２排紙部１２に向かう第３用紙搬送経路１６と、第２用紙搬送経路１５から分岐して両面ユニット１３に向かう第４用紙搬送経路１７とを有している。
【００１０】
そして第１分岐爪１ａは、第１用紙搬送経路１４と第２用紙搬送経路１５の分岐部に配置されており、何れかの用紙搬送経路に用紙を導く。同様に第２分岐爪１ｂは、第３用紙搬送経路１６と第４用紙搬送経路１７の分岐部に配置されており、何れかの用紙搬送経路に用紙を導く。
【００１１】
図３は本発明の第１の実施の形態に係る用紙搬送経路切替え装置の斜視図である。ソレナイド２を用紙搬送経路の幅方向内側に配置し、リンク３の支点も用紙搬送経路の幅方向内側に配置している。リンク３の一端は分岐爪１の回転軸１−１に設けた係合片に係合している。
【００１２】
図４は本発明の第２の実施の形態に係る用紙搬送経路切替え装置の斜視図である。ソレナイド２を用紙搬送経路の幅方向内側に配置し、リンク３も用紙搬送経路の幅方向内側に配置している。リンク３の先端３−１は、ソレノイド２がオフの時は分岐爪１の側面と距離をおいて対向しており、その間を用紙が搬送される。ソレノイド２がオンし、プランジャが引かれるとリンク３の先端３−１は分岐爪１の側面を押圧し、分岐爪１を回動する。すると用紙はリンク３とは反対面を通る。
【００１３】
図５は本発明の第３の実施の形態に係る用紙搬送経路切替え装置の斜視図である。ソレナイド２及びリンク３は、分岐爪１の上部中央に配置されている。図に示すように、分岐爪１の上面に凹部を設けてそこにソレノイド２を収容してもよいし、分岐爪１の上面に直接載置してもよい。
【００１４】
【発明の効果】
本発明によれば、分岐爪を駆動するソレノイド、リンクを用紙搬送経路の内側に配置したので、用紙搬送経路切替え装置、ひいてはこれを用いる画像形成装置の省スペース化を図ることが可能となる。
【図面の簡単な説明】
【図１】画像形成装置の用紙搬送経路を示す概略図である。
【図２】図１の用紙搬送経路の要部拡大図である。
【図３】本発明の第１の実施の形態に係る用紙搬送経路切替え装置の斜視図である。
【図４】本発明の第２の実施の形態に係る用紙搬送経路切替え装置の斜視図である。
【図５】本発明の第３の実施の形態に係る用紙搬送経路切替え装置の斜視図である。
【図６】従来例に係る用紙搬送経路切替え装置の要部斜視図である。
【符号の説明】
１　分岐爪
２　ソレノイド
３　リンク
１４〜１７　用紙搬送経路
【図１】
2004067283.tif 000003
【図２】
2004067283.tif 000004
【図３】
2004067283.tif 000005
【図４】
2004067283.tif 000006
【図５】
2004067283.tif 000007
【図６】
2004067283.tif 000008
(57)【要約】【課題】従来患者が病気や身体の不調を感ずる時には、専門家である医者の診断を受けて対処療法を得るのが通常であった。一方で、健康食品が多数販売されている昨今において、さまざまな健康食品で体質改善をする対象者が増えている。しかしながら現実において、従来の投薬治療や健康食品による体質改善が治療として成果が上がらないことがあった。【解決手段】本発明は、糖尿病、老人性不眠症、肩こり、むち打ち症、胃潰瘍、十二指腸潰瘍の治療、若返り治療を重水素減少水（スーパーライトウォーター）を飲むことによっておこなう方法である。【選択図】　図１
2004067654.tif 000002
【特許請求の範囲】
【請求項１】
水と、０．１〜１１０ｐｐｍの含有量の重水素を有し、又は、活性剤として、０．１〜１１０ｐｐｍの含有量の重水素を含み、担体又は助剤と共に、製薬学的な製品或いは医薬溶液の形での、ヒトに適する水性溶液である、重水素減少水（スーパーライトウォーター）による糖尿病、老人性不眠症、肩こり、むち打ち症、胃潰瘍、十二指腸潰瘍の治療方法、若返り治療方法。
【発明の詳細な説明】
【０００１】
【発明の属する技術分野】
本発明は、糖尿病、老人性不眠症、肩こり、むち打ち症、胃潰瘍、十二指腸潰瘍の治療、若返り治療を重水素減少水（スーパーライトウォーター）を飲むことによっておこなうものである。
【０００２】
【従来の技術】
一般に患者が病気や身体の不調を感ずる時には、専門家である医者の診断を受けて対処療法を得るのが通常であるが、この場合、当人が病院や診療所に直接行って治療を受ける。
【０００３】
一方で、健康食品が多数販売されている昨今において、さまざまな健康食品を入手して体質改善をする対象者が増えている。また、年をとると老人性不眠症が発生する。
【０００４】
【発明が解決しようとする課題】
しかしながら現実において、従来の投薬治療や健康食品による体質改善が治療として成果が上がらないことがあった。
【０００５】
【課題を解決するための手段】
本発明者等は係る課題を解決するために鋭意研究したところ、糖尿病、老人性不眠症、肩こり、むち打ち症、胃潰瘍、十二指腸潰瘍の治療、若返り治療のための重水素減少水（スーパーライトウォーター）の飲用方法を開発して、本発明を提供するものである。
【０００６】
すなわち本発明は、糖尿病、老人性不眠症、肩こり、むち打ち症、胃潰瘍、十二指腸潰瘍の治療、若返り治療に最適な重水素減少水（スーパーライトウォーター）の飲用方法を特徴とする重水素減少水（スーパーライトウォーター）の飲用方法である。
【０００７】
【発明の実施の形態】
本発明は重水素減少水（スーパーライトウォーター）を毎日２リットル飲むことにより２週間ぐらいで効果が表れる。
【０００８】
糖尿病治療の場合は、昼食を１ヶ月間は極端に少なくする必要がある。
【０００９】
重水素減少水（スーパーライトウォーター）を飲んでいる間は、緑茶、味噌汁など通常飲食する物に関しても重水素減少水（スーパーライトウォーター）を使用する。
【００１０】
以下実施例をもって本発明を詳細に説明するが、本発明の範囲はこれに限定されるものではない。
【００１１】
【実施例１】
本発明の発明者は、血糖値が高く、肩こりも起こしていた。そのため重水素減少水（スーパーライトウォーター）を毎日２リットル飲みつづけ、なおかつ昼食を１ヶ月間取らなかった。
【００１２】
２週間後ぐらいから血糖値が下記の表のように正常数値で安定した。次いで肩こりも解消した。
2004067654.tif 000003
2004067654.tif 000004
2004067654.tif 000005
2004067654.tif 000006
2004067654.tif 000007
2004067654.tif 000008
2004067654.tif 000009
【００１３】
実験的に２日間飲用を中止した場合、就寝後４時間ほどで目が覚めてしまい熟睡できなくなってしまった。
【００１４】
胃に腫瘍と潰瘍ができていた７８歳の女性に１００日間飲ませた。この女性は胃が曲がっており、腫瘍と潰瘍は完治しないと医者から言われていたが、１００日後には腫瘍、潰瘍が完治した。
【図面の簡単な説明】
【図１】血糖値の測定結果をグラフにしたものである。
【図１】
2004067654.tif 000010
(57)【要約】　　　（修正有）【課題】自動車走行時、空気の流れがボンネットの上を流れて、フロントガラスにあたり、その結果空気抵抗が、増加するという問題があった。【解決手段】自動車のボンネットの先端中央部の丸みをもったコーナー部分に空気の流れを変える装置を取りつける。この装置により、ボンネット上を流れてくる空気の流れがフロントガラスにあたることを回避でき、空気抵抗を削減することが出来る。【選択図】図１
2004067068.tif 000002
【特許請求の範囲】
【請求項１】
自動車のボンネットの先端に取り付けて自動車の前方から流れる空気の抵抗をやわらげる為の装置。
【発明の詳細な説明】
【０００１】
【発明の属する技術分野】
この発明は、自動車のボンネット先端に取り付けた走行中の空気抵抗をやわらげる装置に関するものである。
【０００２】
【従来の技術】
従来の自動車走行時における空気抵抗の削減方法はボンネットの先端部を丸くするだけであった。
【０００３】
【発明が解決しようとする課題】
これは次のような欠点があった。
従来、自動車走行時の空気抵抗を少なくする方法は角張ったボンネットの先端を丸くする事でなされてきたが、これによると空気の流れがボンネットの上を流れてフロントガラスに当たり更に抵抗を増やす結果になった。
本発明は、以上のような欠点をなくす為になされたものである。
【０００４】
【課題を解決するための手段】
自動車のボンネットの先端の丸みをもったコーナー部分に空気の流れを変える装置を設ける。本発明は以上の構成によりなる自動車走行時における空気抵抗をやわらげる装置である。
【０００５】
【発明実施の形態】
以下、本発明の実施の形態について説明する。
自動車のボンネット先端中央部分に自動車正面より流れる空気の流れをフロントガラスの上部に誘導する装置を固定する。
【０００６】
【発明の効果】
自動車走行時の自動車正面よりボンネットの上を流れてフロントガラスに当たる空気の抵抗をやわらげ走行をスムーズに行い、燃費の改善や雨中の走行を容易にするものである。
【図面の簡単な説明】
【図１】本発明の斜視図である。
【図１】
2004067068.tif 000003
(57)【要約】【課題】風を帆に受けることによる船体の傾斜を防ぎ、安定して帆走できるヨットを提供する。【解決手段】船体（１）の上にマスト（２）を立て、マスト（２）にブーム（３）の末端を可動自在に取り付け、ブーム（３）の先端を船体（１）を越えて水面まで延長し、ブーム（３）の先端に船型の浮力体（４）を可動自在に取り付ける。【選択図】　図１
2004067066.tif 000002
【特許請求の範囲】
【請求項１】
船体（１）の上にマスト（２）を立て、マスト（２）にブーム（３）の末端を可動自在に取り付け、ブーム（３）の先端に浮力体（４）を取り付けたアウトリガーヨット。
【発明の詳細な説明】
【０００１】
【発明の属する技術分野】
本発明は、ヨットのマストとブームの配置に関するものである。
【０００２】
【従来の技術】
従来のヨットは帆に風を受けることによる船体の風下への傾きに対して、バラストキールや船体自身の復元力で抵抗しながら傾いたまま帆走していた。
【０００３】
【発明が解決しようとする課題】
ヨットは主に船体側面方向から風を受けて走る為、必然的に船体上部が風下側に傾斜する、本考案はその傾斜を改善するためになされたものである。
【０００４】
【課題を解決する為の手段】
上記目的を達成する為に、本発明のアウトリガーヨットは、船体（１）の上にマスト（２）を立て、マスト（２）にブーム（３）の末端を可動自在に取り付け、ブーム（３）の先端に船型の浮力体（４）を可動自在に取り付けたものである。
船体（１）及び浮力体（４）の接水面の構造を車輪又はブレードに置き換えることで陸上用、氷上用ヨットにすることもできる。
マスト（２）とブーム（３）の船体（１）への取り付け位置については、マスト（２）を船体（１）の前部に立てて、ブーム（３）を船尾に向けた場合は、帆走時にブーム（３）が風下側に張出し、先端の浮力体（４）の浮力が横から帆に当たる風の力とブーム（３）の重量によるヨットの風下への傾斜に抵抗する。
マスト（２）を船体（１）の後方に立てて、ブーム（３）を船首に向けた場合は、帆走時にブーム（３）とその先端の浮力体（４）は風上側に張出し、その合成重量でヨットの風下への傾斜に抵抗する。
【０００５】
マスト（２）中央付近の両側方と後方又は前方に張出梁（１０、１１、１２）を設け、マスト（２）先端、張出梁（１０、１２）先端、船体（１）両側面の間にワイヤー（１９、２０）を、マスト（２）先端、張出梁（１１）先端、船体（１）後部又は前部との間にワイヤー（１５）を、張出梁（１０、１１、１２）先端とマスト（２）下端の間にワイヤー（１６、２１、２２）を、張出梁（１０、１１、１２）とマスト（２）の接合部分から船体（１）両側面にワイヤー（１７、１８）を張って、マスト（２）を支える、ワイヤー（１５、１７、１８）を船体（１）の側面及び後部又は前部に取付ける部分には船体（１）のピッチングによる衝撃を吸収する為にスプリングとダンパー等の緩衝機を連結すると良い、またブーム（３）も帆に風を受けた時、軸と直角方向に引かれる為、中間に複数の張出梁を設け、先端と張出梁と末端を複数のワイヤーで結んで補強するとよい。
【０００６】
マスト（２）上端とブーム（３）先端又は先端付近の間にワイヤー（１３）を張り、マスト（２）下部とブーム（３）の中間部の間にワイヤー（１４）を張り、ワイヤー（１３、１４）を拮抗させてブーム（３）の上下位置を固定する。
マスト（２）、ブーム（３）、ワイヤー（１３）で作る三角形の枠の中にメインセール（５）を張る、又、マスト（２）、ブーム（３）、ワイヤー（１４）で作る三角形の枠の中にジブセール（６）を張ることもできる。
又、ブーム（３）を船首に向けた場合、ブーム（３）の末端をマスト（２）を迂回してワイヤー（１５）の近くまで延長し、ブーム（３）の延長部分とマスト（２）の間にミズンセールを張ると、受ける風圧によりマスト（２）を軸としてメインセールと逆のモーメントが発生して、ブーム（３）の操作性が向上する。
【０００７】
浮力体（４）にはやや大きめの舵（９）を取り付け、この舵（９）は船体（１）上より、遠隔操作できるようにする、浮力体（４）の大きさによっては、そこに人が乗って直接舵（９）を操作してもよい、浮力体（４）には必要に応じてセンターボードを取り付ける、また浮力体（４）が風上に張出す場合には、バランスをとる為に浮力体（４）の内部に注排水できるようにすることも有効である。
又、ブーム（３）の先端を浮力体（４）の先へ、水中まで延長し、先端の上下左右に可動翼をつけると、走行時にブーム（３）の先端を上下左右に操作できる。
【０００８】
船の進行方向を変える時には船体（１）上でブーム（３）の角度を操作する。
ブーム（３）の操作については、風下側に張出す場合は従来通り、船体（１）との間にロープを張ってその長さを調整すればよい、風上側に張出す場合は伸縮可能なブームボール（２７）でブーム（３）を風上側に押し出すか、舵（９）で浮力体（４）の進路を操作して船体（１）との位置を調整する等の方法がある。
【０００９】
【発明の実施の形態】
発明の実施の形態を実施例に基づき図面を参照して説明する。
船体（１）上にマスト（２）を立て、マスト（２）の中央よりやや下にブーム（３）の末端を可動自在に取り付け、ブーム（３）を船体（１）を超えて水面まで延長し、ブーム（３）の先端に船型の浮力体（４）を可動自在に取り付ける。
図１はマスト（２）を船体前部に置き、ブーム（３）を船尾方向に向けた場合の配置で、図２はマスト（２）を船体後部に置き、ブーム（３）を船首方向に向けた場合の配置である。
【００１０】
【発明の効果】
本発明は以上の構成であるので、ブーム（３）と浮力体（４）がアウトリガーの働きをして船体（１）を安定させ、従来のように船体が傾斜することがない。
船体（１）自身の復元力のみに頼らないので船幅をより狭く設計でき、バラストも減らせる、ブーム（３）が長い事、マスト（２）をより高くできる事等から、同じ艇長の船でもより広い帆を張ることができる、また、帆が垂直になり、風を帆の上方に逃がさず、有効に利用できる等の理由により高速で航行できる。
舵（９）を持った浮力体（４）が船体（１）から離れた位置で水面に接している為、強風や追い風等、従来船体が不安定になりがちであった帆走でも船体（１）のヨーイング、ピッチング、ローリングを効果的に抑えることができる。
【図面の簡単な説明】
【図１】ブームを船尾に向けた本考案の原理図
【図２】ブームを船首に向けた本考案の原理図
【図３】船体後面から見た船体とマストとワイヤーの関係図
【図４】ブームを船尾に向けた場合の平面から見た船体とブームと浮力体の関係図
【図５】ブームを船首に向けた場合の平面から見た船体とブームと浮力体の関係図
【符号の説明】
１　船体
２　マスト
３　ブーム
４　浮力体
５　メインセール
６　ジブセール
７　センターボード
８〜９　舵
１０〜１２　張出梁
１３〜２２　ワイヤー
２３　クローズホールド
２４　アビーム
２５　クォーター
２６　停船
２７　ブームポール
【図１】
2004067066.tif 000003
【図２】
2004067066.tif 000004
【図３】
2004067066.tif 000005
【図４】
2004067066.tif 000006
【図５】
2004067066.tif 000007
(57)【要約】【課題】プラスチック気泡シートの小口の包装体であって、包装も開封も容易な包装方法を提供すること。【解決手段】プラスチックフィルムで製造した有底筒状の包装袋（１）に被包装物（２）を入れ、袋の口部（３）を絞って粘着テープ（５）を適用し、粘着テープが、絞られた袋の口部をほぼ一周するが両端はＶ字状に開いた状態となるようにし、開いた部分へ弱離型紙（６）を適用して、粘着テープと弱離型紙とを適宜の長さで切断する。【選択図】　　図１
2004067182.tif 000002
【特許請求の範囲】
【請求項１】
気泡シート類の小径の巻物を包装する方法であって、プラスチックフィルムで製造した有底筒状の包装袋に被包装物を入れ、袋の口部をＶ字型のダイスの底に押し込んで絞るとともに、底の方から粘着テープを適用して、粘着テープが、絞られた袋の口部をほぼ一周するが両端はＶ字状に開いた状態となるようにし、開いた部分へ弱離型紙を適用して、粘着テープと弱離型紙とを適宜の長さで切断することからなり、弱離型紙を剥がすことによって容易に開封することができる気泡シート類の包装方法。
【発明の詳細な説明】
【０００１】
【発明の属する技術分野】
本発明は、プラスチック気泡シートやプラスチック発泡シートなど、軽量なシート類を比較的少量、巻物にしたり、折り畳み品にしたりしたものを包装する方法の改良に関する。
【０００２】
【従来の技術】
プラスチック気泡シート、すなわちプラスチックフィルムを真空成形して多数の突起を設けたキャップフィルムとし、キャップの底面に平坦なバックフィルムを貼り合わせて多数の密閉された空気室を形成したものが、緩衝包装や断熱材、さらには養生材として各方面で使用されている。プラスチックの発泡押し出し成形により製造した、プラスチック発泡シートも、同様な用途に使用されている。（以下の記述においては、「気泡シート」の語でプラスチック気泡シートおよびプラスチック発泡シートを代表させる。）
【０００３】
気泡シートを、打ち抜きや製袋などの加工を伴うことなく大量に使用する場合は、「巻物」と呼ばれるコイルの形で輸送し、またそこから繰り出して適宜の大きさに切って使用する。小規模な引っ越しや養生などの用途に向ける場合は、消費量が少ないので、大きな巻物は不要であるから、必要な限度の量を包装した商品が欲しい。そこで、適宜の量を小さい巻物にしたり、折り畳み品にしたりにするが（以下、これを便宜的に「小巻」の語であらわす）、いずれにしても、それを包装したものが要求される。
【０００４】
そのような気泡シートの小巻を包装するには、一般に、プラスチックフィルムの有底筒状の容器、多くの場合はポリエチレンなどのインフレーションにより製造した筒を、所定の長さでヒートシール・裁断して用意した容器が使用される。包装は、通常、小巻をこの袋に入れ、口部を絞って、粘着テープで巻いて封をすることによって行なわれている。
【０００５】
ところが、粘着テープを巻いて封をした包装は、粘着テープの端が見出しにくかったり、見つかっても剥がしにくかったりして、開封に苦労する。粘着テープをハサミで切ることは、包装袋の破損につながりがちであり、一部を使って残りを保存しておくというような場合に不都合になる。
【０００６】
【発明が解決しようとする課題】
本発明の目的は、気泡シートの小巻をプラスチックフィルムの有底筒状の容器を用いて包装するに当たって、包装が容易であるばかりでなく、開封が容易な包装品を与える包装方法を提供することにある。
【０００７】
【課題を解決するための手段】
本発明の包装方法は、気泡シート類の小巻を包装する方法であって、図１に見るような包装体を得る。すなわち、図２に示すとおり、プラスチックフィルムで製造した有底筒状の包装袋（１）に被包装物（２）を入れ、図２および図３に示すように、袋の口部（３）をＶ字型のダイス（４）の底に押し込んで絞るとともに、底の方から粘着テープ（５）を適用して、図４に示すように、粘着テープが、絞られた袋の口部をほぼ一周するが両端はＶ字状に開いた状態となるようにし、開いた部分へ弱離型紙（６）を適用して、図５に示すように粘着テープと弱離型紙とを適宜の長さで切断して、図１に示したようにまとめることからなり、弱離型紙（６）と粘着テープ（５）とを相互に引き剥がすことにより、容易に開封することができる包装を与える気泡シート類の包装方法である。
【０００８】
ここで、「弱」離型紙の語は、各種シールの台として使用されているような、粘着剤がほとんど効かず、全く容易に剥離するような離型紙ではなく、袋の口部を封じている程度の粘着を可能にするが、離型性のないテープと粘着された場合にくらべれば、容易に剥離することができる程度の粘着を生じる離型紙を意味する。
【０００９】
【発明の実施形態】
上記の方法を実施する装置は、上記したＶ字状のダイスと、その底へ内容物を詰めた袋の口を押し込み、また取り出すための手段、Ｖ字状ダイスの底の方から、ダイスによって絞られた口部に部分に向かって粘着テープを適用するための、粘着テープ繰り出し−口部把握および粘着テープ適用手段、粘着テープのＶ字型に開いた部分に弱離型紙を貼り合わせるための、弱離型紙繰り出し−押圧手段、および貼り合わされた粘着テープと弱離型紙とを切断する手段たとえばスイングカッターから本質的に構成される。
【００１０】
【発明の効果】
本発明の方法により気泡シートの小巻を包装すれば、包装作業そのものが容易にでき、不用意に開くことのない封ができる。一方、この封は、弱離型紙を粘着テープから引き剥がすことにより、粘着テープの両端があらわれるから、それを引っ張ることにより、容易に開封することができる。従来の単純な粘着テープ巻回−切断による封とちがって、粘着テープの端が見つからなかったり、見つかってもほどくことが困難であったりする問題はない。この包装方法を実施する装置は、上述した要素からなる、比較的簡単な構造のものであって、さしたるコストをかけず製造でき、使用はほとんどワンタッチ式に行なうことができる。装置の自動化も容易である。
【図面の簡単な説明】
【図１】本発明の包装方法により気泡シートの小巻を包装した包装体を、一部を省略して示す斜視図。
【図２】本発明の包装方法の工程を説明する図であって、包装袋に被包装物を入れ、袋の口部を絞ったところを示す口部付近の側面図。
【図３】図２のＩ−Ｉ方向断面図。
【図４】図２に続いて、袋の口部に粘着テープを適用したところを示す、図２のＩＩ−ＩＩ位置における断面図。
【図５】図４に続いて、粘着テープの開いた部分に弱離型紙を適用して、粘着テープと弱離型紙とを切断したところを示す、図４と同じ位置における断面図。
【符号の説明】
１　包装袋
２　被包装物
３　口部
４　Ｖ字型のダイス
５　粘着テープ
６　弱離型紙
【図１】
2004067182.tif 000003
【図２】
2004067182.tif 000004
【図３】
2004067182.tif 000005
【図４】
2004067182.tif 000006
【図５】
2004067182.tif 000007
(57)【要約】【課題】沖縄ぜんざい、金時等の食品に用いる氷菓子用宅配容器の形状は汁物４と氷５を一緒に入れていた為、氷５が解けやすく、美味しさが維持できなかった。【解決手段】汁物４と氷５を分けてパッケージし、汁物４の容器自体を氷５の蓋と使用した。【選択図】図１．
2004067116.tif 000002
【特許請求の範囲】
【請求項１】
汁物（沖縄ぜんざい，金時等）と氷（かき氷）を分けてパッケージしたことを特徴とする氷菓子用宅配容器。
【請求項２】
汁物（沖縄ぜんざい，金時等）と氷（かき氷）を分けてパッケージし、汁物（沖縄ぜんざい，金時等）の容器自体を氷（かき氷）部の蓋とする事により、保冷効果を上げたことを特徴とする請求項１記載の氷菓子用宅配容器。
【発明の詳細な説明】
【０００１】
【発明が属する技術分野】
この発明は、沖縄ぜんざい、金時等の食品に用いる氷菓子用宅配容器の形状に関するものである。
【０００２】
【従来の技術】
従来の氷菓子用宅配容器の形状は図３に示すように容器（Ｂ）３と蓋１の形状に汁物４と氷５を一緒に入れていたものである。
【０００３】
【発明が解決しようとする課題】
しかしながら、以上の従来の技術によれば、汁物４と氷５を一緒に入れていた為、氷５が解けやすく、美味しさが維持できない点である。
そこで、この発明は、氷５が解けにくく、美味しさも飛躍的に維持できる、氷菓子用宅配容器を提供することを課題とする。
【０００４】
【課題を解決するための手段】
以上の課題を解決するために、請求項１の発明は、汁物（沖縄ぜんざい，金時等）と氷（かき氷）を分けてパッケージしたことを特徴とする氷菓子用宅配容器である。
また、請求項２の発明は、汁物（沖縄ぜんざい，金時等）と氷（かき氷）を分けてパッケージし、汁物（沖縄ぜんざい，金時等）の容器自体を氷（かき氷）部の蓋とする事により、保冷効果を上げたことを特徴とする氷菓子用宅配容器。
【０００５】
【発明の実施の形態】
この発明の一実施形態を、図１に示す。
氷菓子用宅配容器の容器（Ｂ）３は発泡ポリスチレン樹脂製であり、容器（Ａ）２と蓋１は、ポリエチレン製であり、容器（Ａ）２に蓋１をして、それ自体を容器（Ｂ）の蓋として使用する。
【０００６】
【実施例】
この発明の一実施例を、図２に示す。
【０００７】
【発明の効果】
以上説明したように、この発明によれば、氷菓子用宅配容器を汁物（沖縄ぜんざい，金時等）と氷（かき氷）を分けてパッケージし、汁物（沖縄ぜんざい，金時等）の容器自体を氷（かき氷）部の蓋とする事により、保冷効果を上げた。
【図面の簡単な説明】
【図１】この発明の一実施形態を示す断面図である。
【図２】この発明の一実施例を示す断面図である。
【図３】従来技術を示す断面図である。
【符号の説明】
１　蓋
２　容器（Ａ）
３　容器（Ｂ）
４　汁物（沖縄ぜんざい，金時等）
５　氷（かき氷）
【図１】
2004067116.tif 000003
【図２】
2004067116.tif 000004
【図３】
2004067116.tif 000005
(57)【要約】【課題】紙シート成形体の製造に際し、プレス成形時に発生する皺や破れを防止する。【解決手段】紙シート１に切目３を入れ、切目３間の折曲片４をプレスにより折り曲げて収納部２を成形した紙シート成形体において、その製造に際し、折曲片４の根元から少しずらして折目線５を入れた後、プレスすることとし、折曲片４の根元から生じる変形を折目線５で吸収する。【選択図】　図１
2004067150.tif 000002
【特許請求の範囲】
【請求項１】
紙シートをプレスにより折り曲げて成形した紙シート成形体において、その製造に際し、折曲予定部の根元から少しずらして折目線を入れた後、プレスしたことを特徴とする紙シート成形体。
【発明の詳細な説明】
【０００１】
【発明の属する技術分野】
この発明は、段ボール等の紙シートをプレスして、所定形状に成形した包装用緩衝材等の紙シート成形体に関するものである。
【０００２】
【従来の技術】
例えば、特開２００１−３２２６７８には、紙シート５０をプレスして凹ませることにより、りんごやメロン等を落とし込む丸型の収納部５１を千鳥状に複数形成した包装用緩衝材が記載されている。
【０００３】
この緩衝材のブランクでは、図８に示すように、紙シート５０に各収納部５１に対応して切目５２を放射状に入れ、切目５２間に折曲片５３を形成し、その折曲予定部の根元に円形に折目線５４を入れておく。そして、この紙シート５０をプレスして折曲片５３を下方へ折り曲げる。
【０００４】
また、紙シート５０の周囲の側板５５，５６は、別工程で下方へ折り曲げ、継代５７を介して継ぎ合わせる。
【０００５】
【発明が解決しようとする課題】
ところで、上記のような成形体のプレス加工に際し、折目線５４の位置を基端として折曲片５３を折り曲げると、折曲部の根元から生じる変形が吸収されず、成形後に皺や破れが発生する場合がある。
【０００６】
そこで、この発明は、紙シート成形体の製造に際し、プレス成形時に発生する皺や破れを防止することを課題とする。
【０００７】
【課題を解決するための手段】
上記課題を解決するため、この発明は、紙シートをプレスにより折り曲げて成形した紙シート成形体において、その製造に際し、折曲予定部の根元から少しずらして折目線を入れた後、プレスすることとし、折曲部の根元から生じる変形を折目線で吸収するようにしたのである。
【０００８】
【発明の実施の形態】
以下、この発明の実施の形態を添付図面に基づいて説明する。図１に示す第１実施形態に係る包装用緩衝材は、図７及び図８に示すものと同様、紙シート１をプレスして凹ませることにより、りんごやメロン等を落とし込む丸型の収納部２を千鳥状に複数形成したものとなっている。
【０００９】
この緩衝材のブランクでは、図２に示すように、紙シート１に各収納部２に対応して放射状に切目３を入れることにより、切目３間に折曲片４を形成し、その根元から少しずらして円形に折目線５を入れておく。この折目線５は、罫線又は切目と罫線が交互に断続するリード罫から成るものとする。
【００１０】
そして、図３に示すように、紙シート１を下型Ｌと上型Ｕの間に挟んでプレスし、折曲片４を下方へ折り曲げると、折曲片４の根元から生じる変形が折目線５で吸収されるので、皺や破れの発生が防止される。また、折目線５の部分もプレスされるので、成形後には、折目線５が目立たなくなる。
【００１１】
なお、紙シート１の周囲の側板６，７は、プレス加工とは別工程において、下方へ折り曲げ、継代８を介して継ぎ合わせ、商品包装時に、収納部２に収納した商品を支持できるようにする。
【００１２】
次に、図４に示す第２実施形態に係る包装用緩衝材は、紙シート１をプレスして凹ませることにより、ゼリーや水ようかん等のカップを落とし込む角型の収納部２を縦横２個ずつ形成したものとなっている。
【００１３】
この緩衝材のブランクでは、図５に示すように、紙シート１に各収納部２に対応してＸ字状に切目３を入れることにより、切目３間に折曲片４を形成し、その根元から少しずらして円形に折目線５を入れておく。この折目線５は、罫線又は切目と罫線が交互に断続するリード罫から成るものとする。
【００１４】
そして、図６に示すように、紙シート１を下型Ｌと上型Ｕの間に挟んでプレスし、折曲片４を下方へ折り曲げると、折曲片４の根元から生じる変形が折目線５で吸収されるので、皺や破れの発生が防止される。また、折目線５の部分もプレスされるので、成形後には、折目線５が目立たなくなる。
【００１５】
なお、紙シート１の周囲の側板６，７は、プレス加工とは別工程において、下方へ折り曲げ、外箱へ挿入して商品を包装する際、収納部２に収納した商品を支持できるようにする。
【００１６】
【発明の効果】
以上のように、この発明に係る紙シート成形体は、その製造に際し、折曲予定部の根元から少しずらして折目線を入れた後、プレスすることとしたので、折曲部の根元から生じる変形が折目線で吸収され、成形に伴う皺や破れの発生が防止されて、包装用緩衝材等として、見栄えのよいものとなる。
【図面の簡単な説明】
【図１】この発明の第１実施形態に係る包装用緩衝材の斜視図
【図２】同上のブランクを示す図
【図３】同上のプレス状態を示す断面図
【図４】この発明の第２実施形態に係る包装用緩衝材の斜視図
【図５】同上のブランクを示す図
【図６】同上のプレス状態を示す断面図
【図７】従来の包装用緩衝材の斜視図
【図８】同上のブランクを示す図
【符号の説明】
１　紙シート
２　収納部
３　切目
４　折曲片
５　折目線
【図１】
2004067150.tif 000003
【図２】
2004067150.tif 000004
【図３】
2004067150.tif 000005
【図４】
2004067150.tif 000006
【図５】
2004067150.tif 000007
【図６】
2004067150.tif 000008
【図７】
2004067150.tif 000009
【図８】
2004067150.tif 000010
(57)【要約】【課題】簀の子巻きにして紐で縛る等の面倒な工程を要することなく、美麗で高級感のある厚焼卵を得ることができる厚焼卵の収納体を提供する。【解決手段】少なくとも内底面に複数の突条５、５、５・・・又は凹凸部で模様を形成した硬質材のトレー３と、このトレー３を密封収容する可撓性部材の袋体４とからなり、前記トレー３内に厚焼卵２を袋体４の一部内面と接触状態で収納してあることを特徴とする厚焼卵の収納体１とする。【選択図】　　　　図１
2004067127.tif 000002
【特許請求の範囲】
【請求項１】
少なくとも内底面に複数の突条又は凹凸部で模様を形成した硬質材のトレーと、このトレーを密封収容する可撓性部材の袋体とからなり、前記トレー内に厚焼卵を袋体の一部内面と接触状態で収納してあることを特徴とする厚焼卵の収納体。
【請求項２】
トレーと厚焼卵は袋体内に真空包装してある請求項１記載の厚焼卵の収納体。
【請求項３】
厚焼卵は袋体内で加熱殺菌状態で収納してある請求項１及び２記載の厚焼卵の収納体。
【請求項４】
冷凍してある請求項１乃至３記載の厚焼卵の収納体。
【発明の詳細な説明】
【０００１】
【発明の属する技術分野】
本発明は、厚焼卵の収納体に係り、詳しくは包装体を開封してトレーから取り出した厚焼卵の表面に複数の条溝や凹凸模様が形成され得るように少なくとも内底面に複数の突条や凹凸部を形成した硬質材のトレー内に厚焼卵を収納し、これを可撓性部材の袋体に真空状態で収納してある厚焼卵の収納体に関する。
【０００２】
【従来の技術】
従来より、巻卵焼や厚焼卵等（以下、単に「厚焼卵」という）は一般家庭においては専用の焼成鍋上で卵液を薄層に焼いて、これを順次巻き上げて製されている。　また、一方これらの厚焼卵を量産するための技法としては、例えば特許第２９０８００７号公報記載の機械的に平板上で焼成し、ロール状に巻き上げて製するものがある。そして、然るべく包装形態にされ市場に供されている。
【０００３】
【発明が解決しようとする課題】
しかしながら、上記家庭内や機械的手段によって製される厚焼卵は、その製造工程上からも明らかなように、製品表面は殆ど凹凸のない滑らかな状態となり、見た目にも美観に乏しく高級感に欠けるものである。また、このことを補うために、簀の子で卵焼きを包巻し、紐でしばることによって卵焼きの表面に波形模様をつけた卵製品としていわゆる「だて巻き卵」等は周知であるが、これらも製造工程上簀の子で巻いて紐で縛るという生産効率の悪い作業を要するという問題があり、このために余計な設備も必要となる。
本発明は、以上の問題点を解決し、製造するに際しては簀巻きして紐で縛る等の面倒な工程を要することなく、また、使用時には美麗で高級感のある厚焼卵を得ることができる厚焼卵の収納体を提供することを目的とする。
【０００４】
【課題を解決するための手段】
すなわち、本発明の厚焼卵の収納体は、少なくとも内底面に複数の突条又は凹凸部で模様を形成した硬質材のトレーと、このトレーを密封収容する可撓性部材の袋体とからなり、前記トレー内に厚焼卵を袋体の一部内面と接触状態で収納してあることを特徴とする。
このような構成にすることにより、厚焼卵を袋体を形成する可撓性部材でトレーの内底面に押しつけできるので、厚焼卵を袋体に収納したままで、その表面に条溝や凹凸による模様をつけることができる。
また、この際トレーと厚焼卵は袋体内に真空包装してあると保存時間の経過とともにさらに条溝や凹凸模様を厚焼卵表面に鮮明に刻することができる。
さらに、真空包装によって加熱殺菌の効率もよくなり、冷凍保存をするときの冷凍効率もよく品質劣化も防ぐことができるのでよい。
【０００５】
【発明の実施の形態】
以下、本発明を図面に示す実施形態を参照して説明する。図１は本発明厚焼卵の収納体の一実施形態を示す斜視図説明図であり、図２は図１のＸ−Ｘ線断面図である。図３は本発明に係る厚焼卵を皿の上に取り出した一使用形態を示す部分斜視図である。
【０００６】
図１において、常法により製された厚焼卵２は、合成樹脂（例えば、ポリスチレン、ポリスチレンテレフタレート、或いはポリスチレン共重合体）等の硬質材で整形されたトレー３に収容され、さらにポリスチレン或いはポリプロピレン等のラミネートされた破れ難く可撓性のあるシートからなる袋体４に密封収納されている。
本実施例においては、トレー３の内側底面には複数の突条５、５、５・・・を形成してあり、硬質材の厚さは３００μｍ程にしてある。また、袋体４の可撓性シートは３０μｍ程の厚さであり、袋体４内は真空度４０〜７０ｃｍＨｇとして封止してある。この際、トレー３の窪み部の容積と厚焼卵２の体積は出来るだけ等しくなるようにするとよい。このことは、袋体４内を真空状態にすることにより、袋体４の可撓性部材が袋体４の内方へ撓み、袋体４の内面で厚焼卵２の表面をより強く押圧接触させ得るという理由による。
なお、可撓性部材の袋体と厚焼き卵との間に突条又は凹凸部で模様を形成した硬質板材を挿入しておくことより、厚焼き卵の周面全体に条溝や凹凸等による模様をつけることができるのでよい。
【０００７】
次に本実施形態の作用について説明する。
袋体４内を真空状態にすることによって、可撓性部材で形成された袋体４がトレー３内の窪みに吸引陥没する方向へ撓み厚焼卵２と接触する。この撓み力によってトレー３内の厚焼卵２は袋体３の内面によってトレー３の内底部に押しつけられる。保存中は継続して押圧力が加えられ厚焼卵２の表面にはトレー３の内底面の突条５、５、５・・・の形状が複数の溝条５’、５’、５’・・・として鮮明に刻みつけられる。
なお、本実施例では、トレー３の内側底面を複数の突条としてある場合を示したが、これを凹凸で「寿」や「祝」等の文字や「富士山」や「花びら」等の模様が形成できるようにしておいてもよいことは、無論のことである。
また、本実施例のトレー３をその厚焼卵２を収容する窪み部を２ヶ所設けた形状とした例を示したが、これに限らず窪み部の数は自由に選択できる。
【０００８】
【発明の効果】
以上、詳述したように、本発明によれば、厚焼卵をトレーに収容し袋体内に密封乃至真空包装するだけで、表面に複数の条項や模様を形成できるので、整形トレーを選択するだけで、特別の工程や装置を必要とせず、製造コストを安く美麗な厚焼卵を市場に提供できる。
また、本発明の厚焼卵の収納体は、これを容易に加熱殺菌や冷凍できるので、必要に応じていつでも取り出し食卓に供することができる。
【０００９】
【図面の簡単な説明】
【図１】本発明の一実施形態を示す一部切り欠き斜視説明図。
【図２】図１のＸ−Ｘ線断面図。
【図３】本発明に係る厚焼卵の一使用形態を示す部分斜視図。
【符号の説明】
１　厚焼卵の収納体
２　厚焼卵
３　トレー
３’　リブ
４　袋体
５　凸条（凹凸）部
５’　条溝
６　接触部
７　封止部
８　真空空間部
９　皿
【図１】
2004067127.tif 000003
【図２】
2004067127.tif 000004
【図３】
2004067127.tif 000005
(57)【要約】　　　（修正有）【課題】ペットボトルに入った飲料品を購入した消費者が、簡単に使用済みペットボトルを植木鉢として再利用する事ができ、その再利用に際し何らコストも必要とせず有効な再利用が可能な飲料品用ボトルを提供する。【解決手段】飲料品用ペットボトルの中央部に膨出部を設けるとともにその膨出部における所定の水平ラインで切断された場合、その切断された内部飲料品の出入口を有する上部ボトル部分を切断開口された下部ボトルの開口内側に内部飲料品の出入口を下にして入れた時に内部飲料品の出入口が上部ボトルの膨出開始部が支えとなって下部ボトルの底に接しない寸法に設定されている事を特徴とする飲料品用ペットボトル。【選択図】　図１
2004067103.tif 000002
【特許請求の範囲】
【請求項１】
飲料品の販売に使用される飲料品用ペットボトルであって、その中央部に膨出部を設けるとともにその膨出部における所定の水平ラインで切断された場合その切断された内部飲料品の出入口を有する上部ボトル部分を切断開口された下部ボトルの開口内側に内部飲料品の出入口を下にして入れた時に内部飲料品の出入口が上部ボトルの膨出開始部が支えとなって下部ボトルの底に接しない寸法に設定されている事を特徴とする飲料品用ペットボトル。
【発明の詳細な説明】
【０００１】
【発明が属する技術分野】
本発明は、飲料品の販売に用いられるペットボトル等をその使用後に植木鉢として再利用されるように発案されたものである。
【０００２】
【従来の技術】
近年、コーヒー、お茶、清涼飲料水、水などの飲料品の販売には５００ｍＬ、１Ｌ、１．５Ｌの容量を有するペットボトル（ＰＥＴ素材のボトル）等の飲料品用ボトルが多く使用されている。
【０００３】
このペットボトル等はその使用後廃棄され、焼却や埋め立てによるゴミ処理を行うと環境破壊、資源浪費といった問題につながるため、近年リサイクル（再処理、再利用）することが重視されてきており、ゴミの分別収集や販売店での回収などが実施されている。
【０００４】
【発明が解決しようとする課題】
しかしながら、ペットボトルに入った飲料品を購入した消費者が、使用済みペットボトル等の回収を行っている販売店に全て持っていくとは限らず、多くの使用済みペットボトルが未回収で放置、破棄されているといった問題がある。
【０００５】
また回収されたペットボトル等は再利用されるまでに再利用工場で運搬、選別、洗浄、粉砕、乾燥、化学処理など多くのコストを必要とする。
【０００６】
本発明は上記の事情に鑑みてなされたもので、ペットボトル等の飲料品用ボトルに入った飲料品を購入した消費者が、簡単に使用済みペットボトル等の飲料品用ボトルを再利用する事ができ、その再利用に際し何らコストも必要とせず有効な再利用が可能な飲料品用ペットボトルを提供することを目的としている。
【０００７】
【課題を解決するための手段】
上記の目的を達成するため、本発明による飲料品用ボトルは飲料品の販売に使用される飲料品用ペットボトルであって、その中央部に膨出部を設けるとともにその膨出部における所定の水平ラインで切断された場合その切断された内部飲料品の出入口を有する上部ボトル部分を切断開口された下部ボトルの開口内側に内部飲料品の出入口を下にして入れた時に内部飲料品の出入口が上部ボトルの膨出開始部が支えとなって下部ボトルの底に接しない寸法に設定されている事を特徴とする。
【０００８】
【実施例】
以下、図に基づいて本発明の実施例を説明する。
図１は本発明の第一実施例を示し、飲料品の販売に使用される飲料品用ペットボトルの内部飲料品の出入口を塞ぐ栓をはずしたものの断面図である。
【０００９】
下記に設定箇所の符号を説明し、図に寸法設定数式を示す。
【００１０】
【符号の説明】
Ａ　　内部飲料品の出入口の最上部より中央膨出開始部までの部分
Ｂ　　切断部２より飲料品用ペットボトル下部の中心隆起最上部までの部分
Ｃ　　中央膨出部の外径
Ｄ　　内部飲料品の出入口の最上部より中央膨出開始部までの部分における外径
Ｅ　　中央膨出終了部より飲料品用ペットボトル下部までの内径
Ｆ　　中央膨出終了部より飲料品用ペットボトル下部までの外径
切断部１　　中央膨出開始部より中央膨出終了部までにおける所定の水平切断部
切断部２　　中央膨出終了部よりＡがＢより短くなる事をみたす所定の水平切断部
【００１１】
【実施例】
図２は図１に記載した切断部１と切断部２とで切り離し、内部飲料品の出入口を有する切断した上部ボトル部分が切断開口された下部ボトルの開口内側に内部飲料品の出入口を下にして上部ボトルにおける膨出開始部までが下部ボトルの開口内部に入ると同時に内部飲料品の出入口が上部ボトルの膨出開始部が支えとなり下部ボトルの底に接することなく挿入された図である。
【００１２】
切断開口された下部ボトルの内側に内部飲料品の出入口が底に接することなく挿入された上部ボトルが有する内部飲料品の出入口に然るべき土流出止めを装着し、上部ボトルの内部に植物を植え込むことで簡単に植木鉢を製作することができ、開口下部ボトルは上部ボトルが有する内部飲料品の出入口に然るべき土流出止めを装着したうえで上部ボトル内部に植え込まれた植木鉢の水受け皿となる。
【００１３】
【発明の効果】
以上説明したように本発明による飲料品の販売に使用される飲料品用ペットボトルであれば、その飲料品を購入した消費者が使用済みのペットボトル等の飲料品用ボトルを簡単に再利用することができ、その再利用に際し何らコストも必要とせず有効な再利用が可能となる。
【００１４】
また、予め再利用に備えて飲料品の販売に使用される飲料品用ペットボトルとして販売するにあたり植木鉢に適したプリントやデザインを施しておいても良い。
【００１５】
【図面の簡単な説明】
【図１】本発明のペットボトルの内部飲料品の出入口を塞ぐ栓をはずしたものの断面図である。
【図２】図１に記載した切断部１と切断部２で切り離し、内部飲料品の出入口を有する切断した上部ボトル部分が切断開口された下部ボトルの内側に内部飲料品の出入口を下にして上部ボトルにおける膨出開始部までが下部ボトルの内部に入ると同時に内部飲料品の出入口が上部ボトルの膨出開始部が支えとなり下部ボトルの底に接することなく挿入し、植木鉢とした図である。
【図１】
2004067103.tif 000003
【図２】
2004067103.tif 000004